(57)【要約】【課題】簡単かつ安価な構成であるにも拘わらず、スクリーン２の目詰まりを適切に防止する。【解決手段】ハウジング１に収容したスクリーン２内に原水を供給し、前記スクリーン２にて異物を分離した後、処理水を排出する。前記スクリーン２の下方から気体を供給する気体供給手段７を設ける。【選択図】　図１
2004033856.tif 000002
【特許請求の範囲】
【請求項１】
ハウジングに収容したスクリーン内に原水を供給し、前記スクリーンにて異物を分離した後、処理水を排出するようにしたスクリーン装置において、
前記スクリーンの下方から気体を供給する気体供給手段を設けたことを特徴とするスクリーン装置。
【請求項２】
前記スクリーンと前記ハウジングとの間隔は、気体供給手段から供給した気体がスクリーンの内側に向かう流れを形成可能なものとしたことを特徴とする請求項１に記載のスクリーン装置。
【請求項３】
前記ハウジングは、前記スクリーンで分離された異物を外部に排出可能な排出機構を備えたことを特徴とする請求項１又は２に記載のスクリーン装置。
【請求項４】
前記スクリーン内に洗浄水を供給する洗浄水流入管を接続し、前記ハウジングに洗浄水排出管を接続したことを特徴とする請求項１ないし３のいずれか１項に記載のスクリーン装置。
【請求項５】
原水から異物を分離するスクリーンの下方から気体を供給することにより、発生した気泡をスクリーンの内外に移動させながら上昇させることを特徴とするスクリーンの目詰まり防止方法。
【請求項６】
前記気泡は、スクリーンの内側に向かって移動させることを特徴とする請求項５に記載のスクリーンの目詰まり防止方法。
【発明の詳細な説明】
【０００１】
【発明の属する技術分野】
本発明は、原水中の異物を除去するためのスクリーン装置及びスクリーンの目詰まり防止方法に関するものである。
【０００２】
【従来の技術】
一般に、スクリーン装置では、ケーシング内のスクリーンで原水から異物を除去し、得られた処理水を外部に排出するようにしている。この場合、スクリーンにゴミ、濁質等の付着物が発生し、目詰まりを起こすことがあるので、従来から種々の方法によりこれらを除去するようにしている。
【０００３】
特開平１１−２０７１０９号公報には、横倒ししたスクリーンの一端部に設けた流体噴出手段により、他端部に配設した異物排出部に向かって付着物を移動させて除去するようにしたスクリーン装置が開示されている。
【０００４】
特開平８−２５２４７２号公報には、超音波深針によりスクリーンの目詰まりを除去するようにした粉砕装置が開示されている。
【０００５】
【発明が解決しようとする課題】
しかしながら、前記いずれの構成であっても、構造の複雑化が避けられず、コストアップを招来する。特に、前者の構成では、スクリーンを横倒しにする関係で、占有面積が大きくなるという問題がある。また、後者の構成では、超音波が他の部分にも悪影響を及ぼす恐れがある。
【０００６】
そこで、本発明は、簡単かつ安価な構成であるにも拘わらず、スクリーンの目詰まりを適切に防止することのできるスクリーン装置及びスクリーンの目詰まり防止方法を提供することを課題とする。
【０００７】
【課題を解決するための手段】
本発明は、前記課題を解決するための手段として、ハウジングに収容したスクリーン内に原水を供給し、前記スクリーンにて異物を分離した後、処理水を排出するようにしたスクリーン装置において、
前記スクリーンの下方から気体を供給する気体供給手段を設けたものである。
【０００８】
この構成により、ハウジング内に原水を供給し、気体供給手段から気体を供給すると、スクリーンで原水から異物が分離される際、気泡がスクリーンの内外を移動しながら上昇することになり、目詰まりを防止することが可能となる。
【０００９】
前記スクリーンと前記ハウジングとの間隔は、気体供給手段から供給した気体がスクリーンの内側に向かう流れを形成可能なものとすると、より一層目詰まりを除去容易とできる点で好ましい。
【００１０】
前記ハウジングは、前記スクリーンで分離された異物を外部に排出可能な排出機構を備えると、分離した異物の自動清掃が可能となる点で好ましい。
【００１１】
前記スクリーン内に洗浄水を供給する洗浄水流入管を接続し、前記ハウジングに洗浄水排出管を接続するのが好ましい。
【００１２】
この構成により、スクリーンで捕捉された粘着性のある異物であっても、洗浄・希釈されて外部に排出することができ、ハウジングの外部に排出される異物には粘着性を有する部分が除去されているので、滓渣籠等で異物を回収しても、目詰まりが発生せず、異物と処理水とを確実に分離することができる。
【００１３】
本発明は、前記課題を解決するための手段として、スクリーンの目詰まり防止方法を、原水から異物を分離するスクリーンの下方から気体を供給することにより、発生した気泡をスクリーンの内外に移動させながら上昇させるものである。
【００１４】
前記気泡は、スクリーンの内側に向かって移動させるのが好ましい。
【００１５】
【発明の実施の形態】
以下、本発明に係る実施形態を添付図面に従って説明する。
【００１６】
図１は、第１実施形態に係るスクリーン装置を示す。このスクリーン装置は、ハウジング１内に筒状のスクリーン２を収容したものである。
【００１７】
ハウジング１は、主に小型装置に採用されるもので、金属又は樹脂で形成され、上面部３及び下面部４はそれぞれ取り外し可能となっている。上面部３の中央には原水流入管５が接続され、スクリーン２内に原水が供給される。下面部４の中央には貫通孔６が穿設され、気体供給手段であるエアー供給管７が貫通している。エアー供給管７は、スクリーン２に空気（気泡）を供給する。また、ハウジング１の側面上部には処理水流出管８が接続され、スクリーン２で原水から異物を除去されることにより得られた処理水が排水される。なお、処理水流出管８はハウジング１の上部に限らず、側面下部等、いずれの場所にも接続することができる。
【００１８】
スクリーン２は、ステンレスからなり、金網、複数の開口を有する板材、あるいはウェッジワイヤ等を円筒状、多角形筒状等の有底筒状としたもので、原水中に含まれる異物の通過を阻止する。ここでは、各開口の開口面積が、異物の種類に応じて０．０１ｍｍ２〜１００ｍｍ２の範囲で選択される。なお、各開口がスリット状に形成される場合には、スリット幅が０．１〜３０ｍｍの範囲で選択すればよい。スクリーン２の上端開口部は外周に延設され、ハウジング１の上面部３に固定されている。これにより、原水流入管５を介してハウジング１内に流入する原水が全てスクリーン２内に供給される。スクリーン２の外周面とハウジング１の内周面との距離は、エアー供給管７から供給された気泡をスクリーン２の内側に向かわせることができるように狭く設計されている。ここでは、ハウジング１の内径に対してスクリーン２の内径は２０ｍｍ〜６０ｍｍ小さく設計されている。
【００１９】
次に、前記スクリーン装置の動作について説明する。
【００２０】
原水流入管５からスクリーン２の内側に流入された原水は、スクリーン２を通過する際、異物を除去される。このとき、エアー供給管７から空気を供給し、ハウジング１内に気泡を発生させる。スクリーン２とハウジング１との間隔は、前述のように狭く設計されている。このため、発生した気泡の一部は、原水の流動方向とは反対、すなわちスクリーン２の内面に沿って上昇し、効果的に異物の詰まりを防止する。原水は、スクリーン２で異物を除去されることにより処理水となって処理水流出管８を介して外部に排出される。スクリーン２内での異物の残留量が増大すれば、適宜、上面部３（又は下面部４）を開放して清掃する。スクリーン２は、使用中に気泡によって異物の付着を防止されているので、清掃を簡単に行うことができる。
【００２１】
図２は、第２実施形態に係るスクリーン装置を示す。このスクリーン装置は、スクリーン２によって分離された異物を取り除くための排出機構を備えた点で第１実施形態と相違する。以下の説明では、第１実施形態の構成と同一部分については同一符号を付してその説明を省略する。
【００２２】
すなわち、スクリーン２の下面にはハウジング１の下面中央部を貫通する流入出管９が接続されている。流入出管９は下方に向かうに従って徐々に断面積が小さくなるように形成され、前記第１実施形態の原水流入管５に代えて原水流入管１０より原水が流入され、異物排出管１１よりスクリーン２内に残留する異物が排出される。原水流入管１０の途中には原水流入弁１２が設けられると共に、異物排出管１１には異物排出弁１３が設けられ、それぞれ通路を開閉可能となっている。
【００２３】
前記構成のスクリーン装置では、スクリーン２内に原水を供給する際には原水流入弁１２を開放すると共に異物排出弁１３を閉鎖し、エアー供給管７より気体を供給し、スクリーン２の側面に沿って上昇する気泡を発生させる。これにより、前記第１実施形態と同様に、スクリーン２の目詰まりを防止しつつ、原水から異物を除去することができる。そして、スクリーン２内に異物が残留してくれば、原水流入弁１２を閉鎖すると共に異物排出弁１３を開放することにより、スクリーン２内の異物を異物排出管１１を介して滓渣籠Ａ等に排出することができる。原水流入弁１２と異物排出弁１３の開閉は、図示しないセンサ等によりスクリーン２内に供給する原水量や経過時間を測定したり、異物の残留状態を直接検出することにより、切り替えるようにすれば、自動化することが可能となる。
【００２４】
図３は、第３実施形態に係るスクリーン装置を示す。このスクリーン装置は、第２実施形態の構成にスクリーン２を洗浄水で洗浄する洗浄機構を付加したものである。
【００２５】
すなわち、流入出管９には洗浄水流入管１４が接続されて洗浄水が流入すると共に、ハウジング１の下面には洗浄排水流出管１５が接続されて洗浄排水が流出する。洗浄水流入管１４には洗浄水流入弁１６が設けられると共に、洗浄排水流出管１５には洗浄排水弁１７が設けられ、それぞれ通路を開閉可能となっている。
【００２６】
前記構成のスクリーン装置では、スクリーン２内への原水の供給は、前記各実施形態と同様にして行い、スクリーン２内に残留した異物の排出は、前記第２実施形態と同様にして行う。但し、異物排出管１１から粘着性のある異物が排出された場合、滓渣籠Ａ等で回収する際の目詰まりの原因となり、異物のみを回収することができない。そこで、原水流入弁１２及び異物排出弁１３を閉鎖し、洗浄排水弁１７を開放してハウジング１内の水位を低下させる。そして、洗浄排水弁１７を閉鎖し、洗浄水流入弁１６を開閉して所定水位まで上昇させた後、エアー供給管７より気体を供給する。このように、洗浄水の供給、エアーの供給、及び洗浄水の排出を数回繰り返すことにより、粘着性を有する異物を希釈しながら除去することができ、滓渣籠Ａ等で回収しても目詰まりが発生せず、異物のみを回収することが可能となる。
【００２７】
【発明の効果】
以上の説明から明らかなように、本発明によれば、スクリーンの下方から気体を供給するようにしたので、原水から分離した異物によるスクリーンの目詰まりを防止することができる。気体を供給するだけでよいので、構成が簡略化し、安価に製作することが可能となる。
【図面の簡単な説明】
【図１】第１実施形態に係るスクリーン装置の断面図である。
【図２】第２実施形態に係るスクリーン装置の断面図である。
【図３】第３実施形態に係るスクリーン装置の断面図である。
【符号の説明】
１…ハウジング
２…スクリーン
５…原水流入管
７…エアー供給管
８…処理水流出管
９…流入出管
１０…原水流入管
１１…異物排出管
１４…洗浄水流入管
１５…洗浄排水流出管
【図１】
2004033856.tif 000003
【図２】
2004033856.tif 000004
【図３】
2004033856.tif 000005